(57)【特許請求の範囲】
【請求項１】
スクイズ性を有する容器体(24)の口筒部(26)に密に組付く組付き筒(3) の上端に、内鍔状の頂壁(4) を介して前後に偏平な起立筒(7) を立設し、該起立筒(7) の上端に設けた頂板(8) の上面に、左右方向に直列にかつ等間隔に複数の櫛歯片(13)を起立配設すると共に、前記頂板(8) の両側端部分に枠櫛歯片(10)を起立配設し、該枠櫛歯片(10)および櫛歯片(13)を上端から下方に近づくに従って前後に幅広となる形状とし、また各櫛歯片(13)には、その上端部に、左右方向に開口する注出孔(16)を貫設すると共に、該注出孔(16)から頂板(8) の下面まで注出路(15)を貫通形成し、前記枠櫛歯片(10)を含めた各櫛歯片(13)の注出された内容液を保持するための上半部分を除く下半部分の前後端部分の一方に、
前後方向の中央部は隣接する前記枠櫛歯片(10)および櫛歯片(13)が相対向する部分を残した状態で、該枠櫛歯片(10)および櫛歯片(13)の前後幅を小さくした欠部(27)を順にかつ互い違いに円滑に角取りして設けて成る櫛付きキャップ。
【発明の詳細な説明】
【０００１】
【発明の属する技術分野】
本発明は、容器体に収納された白髪染め液やヘアマニキュア等の内容液を、容器体から頭髪に直接塗布すべく構成した櫛付きキャップに関するものである。
【０００２】
【従来の技術】
スクイズ性を有する容器体にキャップとして組付けられ、容器体の白髪染め液やヘアマニキュア等の内容液を直接頭髪に塗布することができるようにした櫛付きキャップとして、本件出願人が出願した特開平１０−１３７０２９号公報が知られている。
【０００３】
この従来技術は、キャップ本体に、容器体の軸心に沿って起立した複数の櫛歯片を、横に一列に配置し、この櫛歯片内に、上端を注出口として櫛歯片間に開口すると共に、下端を下方（容器体内）に開放した注出路を形成して構成され、櫛歯片を下位に位置させた姿勢で、容器体をスクイズ変形させることにより、注出路を通して櫛歯片間に内容液を注出し、この内容液を櫛歯片を利用して頭髪に塗布するようにしている。
【０００４】
このように、内部に注出路を形成した櫛歯片を、容器体の軸心に沿って起立した姿勢、すなわち容器体の口筒部上端開放部分に起立した姿勢となるので、注出される内容液は、各櫛歯片に必然的に均等に配分されることになり、これにより内容液の均一な塗布を得ることができ、また内容液の塗布操作時には、容器体に対して櫛歯片が下位に位置するので、塗布動作と内容液注出動作とを一緒に行うことができ、これにより良好な取扱い状態を得ることができる。
【０００５】
【発明が解決しようとする課題】
しかしながら、上記した従来技術にあっては、内部に注出路を形成しなければならないことと、注出した内容液を相互間に安定して保持しなければならないこととにより、各櫛歯片はその厚みと幅とが大きくなり過ぎる傾向があり、このため頭髪の梳き時に、頭髪が櫛歯片間で締め付けられる傾向が強くなって、頭髪に対する櫛の通りが悪くなる、と云う問題があった。
【０００６】
特に、頭髪の梳き方向が斜めにずれた場合には、櫛歯片間での頭髪の締め付け傾向が強くなり、頭髪に対する櫛の通り極端に悪くなり、使用状態が劣悪となるだけではなく、内容液の良好な塗布が得られない、と云う問題があった。
【０００７】
そこで、本発明は、上記した従来技術における問題点を解消すべく創案されたもので、頭髪に対する櫛歯片の引っ掛かりを軽くすることを技術的課題とし、もって頭髪に対する櫛の通りを良くして、この種の櫛の適正で良好な使用状況を得ることができるようにすることを目的とする。
【０００８】
【課題を解決するための手段】
上記技術的課題を解決する本発明の手段は、
スクイズ性を有する容器体の口筒部に密に組付く組付き筒の上端に、内鍔状の頂壁を介して前後に偏平な起立筒を立設すること、
この起立筒の上端に設けた頂板の上面に、左右方向に直列にかつ等間隔に複数の櫛歯片を起立配設すると共に、この頂板の両側端部分に枠櫛歯片を起立配設すること、
枠櫛歯片および櫛歯片を上端から下方に近づくに従って前後に幅広となる形状とすること、
各櫛歯片には、その上端部に、左右方向に開口する注出孔を貫設すると共に、この注出孔から頂板の下面まで注出路を貫通形成すること、
枠櫛歯片を含めた各櫛歯片の注出された内容液を保持するための上半部分を除く下半部分の前後端部分の一方に、前後方向の中央部は隣接する前記枠櫛歯片および櫛歯片が相対向する部分を残した状態で、枠櫛歯片および櫛歯片の前後幅を小さくした欠部を順にかつ互い違いに円滑に角取りして設けること、
にある。
【０００９】
枠櫛歯片および櫛歯片を上端から下方に近づくに従って前後に幅広となる形状とし、枠櫛歯片を含めた各櫛歯片の注出された内容液を保持するための上半部分を除く下半部分の前後端部分の一方に、前後方向の中央部は隣接する前記枠櫛歯片および櫛歯片が相対向する部分を残した状態で、枠櫛歯片および櫛歯片の前後幅を小さくした欠部を順にかつ互い違いに円滑に角取りして設けているので、隣接した櫛歯片の幅広に形成された下半部分は、欠部の分だけ対向面積が小さくなり、その分、頭髪との間に発生する摩擦抵抗が減少し、頭髪に対する櫛の通りが良くなる。
【００１０】
また、欠部は、枠櫛歯片を含めた各櫛歯片に互い違いに設けてあるので、櫛に対して頭髪の梳き方向が斜めとなっても、必ず一方側の欠部が、隣接した櫛歯片間で締め付けられる頭髪に対して“逃げ”を形成するので、円滑に角取された形状による作用と相俟って、頭髪に対する櫛の通りの良さは維持されることになる。
【００１１】
欠部は、枠櫛歯片を含めた各櫛歯片の下半部分に形成され、注出口が開設された各櫛歯片の上半部分は、従来と同様に、注出した内容液を安定して保持できる対向面積で対向しているので、注出内容液の良好で安定した保持能力を維持したまま、頭髪に対する櫛の通りを良くしている。
【００１２】
【発明の実施の形態】
以下、本発明の一実施例を、図１〜図５を参照しながら説明する。
本発明による櫛付きキャップ１は、スクイズ性を有する胴部２５の上端に口筒部２６を立設して構成した容器体２４に組付けられるもので、容器体２４の口筒部２６に密に組付くキャップ本体２と、このキャップ本体２の上端に起立姿勢で組付けられる櫛歯体１１と、この櫛歯体１１に着脱自在に外嵌組付けされるシールキャップ体１７と、から構成されている。
【００１３】
容器体２４の口筒部２６に外装螺合するキャップ本体２の組付き筒３の上端に内鍔状に連設された頂壁４の下面には、口筒部２６に密嵌入する短円筒状のシール筒片５と、口筒部２６上端面に密に弾接するシール条６とを設けることによって、キャップ本体２の口筒部２６に対する組付きを液密に達成する。
【００１４】
キャップ本体２の、上端を平板状の頂板８で塞いで前後に偏平となった起立筒７は、その前後方向の内面部分の下半分を、下方に拡幅した湾曲傾斜面とすると共に、その左右方向の内面部分を、わずかに下方に拡幅した面として、キャップ本体２の射出成形時における離型を円滑に達成できるようにしている。
【００１５】
キャップ本体２の頂板８は、櫛歯体１１を強固にかつ安定して組付け保持するのに充分な強度を発揮できる肉厚で成形されており、上面を平坦面とすることにより、櫛歯体１１の組付き姿勢を安定的に保持する。
【００１６】
キャップ本体２に組付け固定された櫛歯体１１を他の物品との接触から保護する目的で設けられた枠櫛歯片１０は、櫛歯体１１の各櫛歯片１３を同一形状および寸法で成形されているが、その左右の両外側面は、頭髪との引っ掛かりを生じないように円滑面に成形されているが、この円滑面は起立筒７部分にも及んでいる。
【００１７】
櫛歯体１１のベース板１２は、その下面を平坦面とし、この平坦面から直角に各嵌着筒片１４を設けることにより、キャップ本体２の組付け孔９に対する嵌着筒片１４の密嵌入により達成される、キャップ本体２に対する櫛歯体１１の組付き固定姿勢を安定して不動なものとしている。
【００１８】
これに対して、各櫛歯片１３を直立設したベース板１２の上面の各櫛歯片１３との連設部分は、頭髪の引っ掛かりを防止する目的で、角取りした円弧面に形成され、頭髪の引っ掛かりの防止を達成すると共に、各櫛歯片１３のベース板１２の対する一体設強度を高めている。
【００１９】
各櫛歯片１３は、上端から下方に近づくに従って前後に幅広となる円滑に角取りされた肉薄平板状となっているので、頭髪を梳いた時に、頭髪との接触面積が大きくなり、これにより内容液の頭髪に対する塗布が効率良くかつ効果的に達成されることになる。
【００２０】
櫛歯体１１は、同一構造の櫛歯片１３と嵌着筒片１４を、単一のベース板１２に左右方向に沿って並列設しただけの構造であるので、注出路１５および注出口１６の成形が容易となり、このため射出成形がきわめて容易となる。
【００２１】
枠櫛歯片１０を含めた各櫛歯片１３の、注出された内容液を保持する上半部分を除く、下半部分の前端部分もしくは後端部分の一方には、前後方向の中央部は隣接する前記枠櫛歯片１０および櫛歯片１３が相対向する部分を残した状態で、枠櫛歯片１０および櫛歯片１３の下半部分の前後幅を小さくする欠部２７が、順にかつ互い違いに、円滑に角取りされた状態で切欠き状に成形されている。
【００２２】
シールキャップ体１７は、平板体を略逆Ｖ字状に折り曲げ、前後外面の下端縁に指掛け片１９を横突条状に設けた屋根壁１８の開放された左右端を、端壁２０で塞いで主体部分を構成し、この主体部分の内部上端部に複数の挟持壁片２１を並列設して櫛歯片１３嵌入用の間隙を形成し、この間隙を形成する挟持壁片２１の側面に、各櫛歯片１３の注出口１６に密に係合する栓突片２２を膨出状に突設している。
【００２３】
このシールキャップ体１７の横幅は、両枠櫛歯片１０間の間隔と等しく設定されており、このためシールキャップ体１７を櫛歯体１１に外嵌組付けする際は、両枠櫛歯片１０により左右方向への変位が規制されてガイドされた状態となり、これにより各櫛歯片１３の挟持壁片２１間への嵌入が確実にかつ円滑に達成されることになる。
【００２４】
図５に示した中栓体２３は、初めて開放するまでの容器体２４の密閉を確保するためのもので、別容器に収納された第二の液体を容器体２４内に注入して、この容器体２４に予め収納された第一の液体と混合攪拌して内容液を作成すべく、容器体２４から取り外した後は不要物となり、内容液の作成は、シールキャップ体１７を組付けた状態の櫛付きキャップ１を容器体２４に取付けた状態で、容器体２４を振って達成する。
【００２５】
なお、この内容液の作成に際して、キャップ本体２と櫛歯体１１との組合せ物に対するシールキャップ体１７の組付きが強固なものではないので、容器体２４を振る手の指でシールキャップ体１７を軽く押さえておくのが、取扱い上、安全である。
【００２６】
また、  キャップ本体２は、安定して強固な組付き機能部分を提供し、かつ櫛の一部として機能する必要があり、同様に櫛歯体１１は、櫛機能部分の主体部分を構成する必要があることから、  キャップ本体２および櫛歯体１１は、比較的硬質なポリプロピレンで成形し、シールキャップ体１７と中栓体２３とは、安定したシール性が要求されることから、比較的軟質な低密度ポリエチレンで成形するのが良い。
【００２７】
【発明の効果】
本発明は、上記した構成となっているので、以下に示す効果を奏する。
前後方向の中央部は隣接する前記枠櫛歯片および櫛歯片が相対向する部分を残した状態で、枠櫛歯片および櫛歯片の下半部分の前後幅を小さくする欠部を円滑に角取りして設けることにより、枠櫛歯片および櫛歯片の、対向する上半部分の幅を減少させることなく、注出された内容液を保持する上半部分を除く下半部分の前後幅を減少させることができ、これにより枠櫛歯片および櫛歯片の下半部分の前後幅の減少分だけ、梳き時の櫛付きキャップと頭髪との間の摩擦抵抗を減少させることができ、もって注出した内容液の良好な保持能力を維持したまま、頭髪に対する櫛の通りを良くすることができる。
【００２８】
枠櫛歯片および櫛歯片に成形した欠部を、順にかつ互い違いに配置したので、頭髪の梳き方向が斜めになっても、各欠部が頭髪に対して“逃げ”部分を形成することになり、円滑に角取された形状による作用と相俟って、例え頭髪の梳き方向が斜めになったとしても、櫛の通りの良さを安定して維持することができる。
【図面の簡単な説明】
【図１】本発明の一実施例を示す、容器体に組付けた状態での全体外観斜視図。
【図２】図１に示した実施例の、縦断全体正面図。
【図３】図１に示した実施例の、縦断全体側面図。
【図４】図１に示した実施例の、全体平面図。
【図５】図１に示した実施例の、中栓体が組付いた状態での、右半分が縦断正面図、左半分が縦断側面図。
【符号の説明】
１  ；  櫛付きキャップ
２  ；  キャップ本体
３  ；  組付き筒
４  ；  頂壁
５  ；  シール筒片
６  ；  シール条
７  ；  起立筒
８  ；  頂板
９  ；  組付け孔
１０；  枠櫛歯片
１１；  櫛歯体
１２；  ベース板
１３；  櫛歯片
１４；  嵌着筒片
１５；  注出路
１６；  注出口
１７；  シールキャップ体
１８；  屋根壁
１９；  指掛け片
２０；  端壁
２１；  挟持壁片
２２；  栓突片
２３；  中栓体
２４；  容器体
２５；  胴部
２６；  口筒部
２７；  欠部
【図１】
0003646179.tif 000002
【図２】
0003646179.tif 000003
【図３】
0003646179.tif 000004
【図４】
0003646179.tif 000005
【図５】
0003646179.tif 000006